(57)【特許請求の範囲】
【請求項１】
インクジェットプリンタであって、
画像形成インクの液滴による基材上におけるドットの描画状態を変更する補助インクの液滴を前記基材に向けて吐出することにより、紙である前記基材上に補助層を形成し、前記画像形成インクの液滴を前記基材に向けて吐出することにより、前記補助層上に画像を形成する画像形成部と、
前記画像形成インクの液滴が一定の大きさにて定着してドットが描画される前記補助層を形成するための網点面積率を適正網点面積率として、基材の複数の種類のそれぞれにおける複数の坪量のそれぞれと、前記補助層の形成時における前記適正網点面積率とを対応付ける参照テーブルを記憶する記憶部と、
画像が形成される対象基材の種類および坪量を用いて前記参照テーブルを参照することにより、前記対象基材上への前記補助層の形成時における網点面積率を補助インク網点面積率として決定する網点面積率決定部と、
を備えることを特徴とするインクジェットプリンタ。
【請求項２】
請求項１に記載のインクジェットプリンタであって、
前記適正網点面積率が、付与された前記画像形成インクの液滴が過度に広がらず、かつ、過度に浸透しない前記補助層を形成するためのおよそ最小の網点面積率であることを特徴とするインクジェットプリンタ。
【請求項３】
請求項１または２に記載のインクジェットプリンタであって、
前記画像形成インクにより画像が形成される領域として予め設定された画像領域のみに対して前記補助層が形成されることを特徴とするインクジェットプリンタ。
【請求項４】
請求項１または２に記載のインクジェットプリンタであって、
前記参照テーブルにおいて、各種類の基材に形成される画像の複数の属性に対し前記適正網点面積率が個別に対応付けられており、
前記網点面積率決定部が、前記対象基材に形成される画像の属性も用いて前記参照テーブルを参照することにより、前記補助インク網点面積率を決定することを特徴とするインクジェットプリンタ。
【請求項５】
請求項４に記載のインクジェットプリンタであって、
前記対象基材上に前記画像形成インクにより画像が形成される複数の画像領域が予め設定されており、
前記網点面積率決定部が、各画像領域に形成される画像の属性を用いて、前記各画像領域に対する前記補助インク網点面積率を決定することを特徴とするインクジェットプリンタ。
【請求項６】
請求項５に記載のインクジェットプリンタであって、
前記各画像領域および前記各画像領域の周囲のみに前記補助層が形成されることを特徴とするインクジェットプリンタ。
【請求項７】
請求項４ないし６のいずれかに記載のインクジェットプリンタであって、
多階調の絵柄画像が形成される領域として設定された画像領域のうち、前記絵柄画像の階調値が所定値未満となる部分において、前記補助インク網点面積率が低減されることを特徴とするインクジェットプリンタ。
【請求項８】
請求項４ないし７のいずれかに記載のインクジェットプリンタであって、
線画像が形成される領域として設定された画像領域のうち、前記線画像の線部および前記線部の周囲を除く部分において、前記補助インク網点面積率が低減されることを特徴とするインクジェットプリンタ。
【請求項９】
インクジェットプリンタにおける画像形成方法であって、
前記インクジェットプリンタが、画像形成インクの液滴による基材上におけるドットの描画状態を変更する補助インクの液滴を前記基材に向けて吐出することにより、紙である前記基材上に補助層を形成し、前記画像形成インクの液滴を前記基材に向けて吐出することにより、前記補助層上に画像を形成する画像形成部を備え、
前記画像形成方法が、
ａ）前記画像形成インクの液滴が一定の大きさにて定着してドットが描画される前記補助層を形成するための網点面積率を適正網点面積率として、基材の複数の種類のそれぞれにおける複数の坪量のそれぞれと、前記補助層の形成時における前記適正網点面積率とを対応付ける参照テーブルを準備する工程と、
ｂ）画像が形成される対象基材の種類および坪量を用いて前記参照テーブルを参照することにより、前記対象基材上への前記補助層の形成時における網点面積率を補助インク網点面積率として決定する工程と、
ｃ）前記画像形成部により、前記補助インク網点面積率に従って前記対象基材上に前記補助層を形成するとともに、前記補助層上に前記画像形成インクによる画像を形成する工程と、
を備えることを特徴とする画像形成方法。
【請求項１０】
請求項９に記載の画像形成方法であって、
前記適正網点面積率が、付与された前記画像形成インクの液滴が過度に広がらず、かつ、過度に浸透しない前記補助層を形成するためのおよそ最小の網点面積率であることを特徴とする画像形成方法。
【請求項１１】
請求項９または１０に記載の画像形成方法であって、
前記ｃ）工程において、前記画像形成インクにより画像が形成される領域として予め設定された画像領域のみに対して前記補助層が形成されることを特徴とする画像形成方法。
【請求項１２】
請求項９または１０に記載の画像形成方法であって、
前記参照テーブルにおいて、各種類の基材に形成される画像の複数の属性に対し前記適正網点面積率が個別に対応付けられており、
前記ｂ）工程において、前記対象基材に形成される画像の属性も用いて前記参照テーブルを参照することにより、前記補助インク網点面積率が決定されることを特徴とする画像形成方法。
【請求項１３】
請求項１２に記載の画像形成方法であって、
前記対象基材上に前記画像形成インクにより画像が形成される複数の画像領域が予め設定されており、
前記ｂ）工程において、各画像領域に形成される画像の属性を用いて、前記各画像領域に対する前記補助インク網点面積率が決定されることを特徴とする画像形成方法。
【請求項１４】
請求項１３に記載の画像形成方法であって、
前記ｃ）工程において、前記各画像領域および前記各画像領域の周囲のみに前記補助層が形成されることを特徴とする画像形成方法。
【請求項１５】
請求項１２ないし１４のいずれかに記載の画像形成方法であって、
多階調の絵柄画像が形成される領域として設定された画像領域のうち、前記絵柄画像の階調値が所定値未満となる部分において、前記補助インク網点面積率が低減されることを特徴とする画像形成方法。
【請求項１６】
請求項１２ないし１５のいずれかに記載の画像形成方法であって、
線画像が形成される領域として設定された画像領域のうち、前記線画像の線部および前記線部の周囲を除く部分において、前記補助インク網点面積率が低減されることを特徴とする画像形成方法。
【発明の詳細な説明】
【技術分野】
【０００１】
本発明は、インクの液滴を基材に向けて吐出することにより基材上に画像を形成するインクジェットプリンタ、および、インクジェットプリンタにおける画像形成方法に関する。
【背景技術】
【０００２】
近年、インクジェット方式にて様々な基材上に画像を形成することが行われている。例えば、特許文献１では、画像を直接ダイレクトに安定させてプリントしにくい布材、金属板、皮革などのメディアに、インクジェットプリンタを用いて画像をプリントする場合に、インクジェットヘッドから噴射させたアンダーコート層プリント用のインク液滴により、そのメディアに画像定着用のアンダーコート層をプリントし、そのアンダーコート層表面に、インクジェットヘッドから噴射させた画像プリント用のインク液滴により、画像を重ねプリントする手法が開示されている。
【先行技術文献】
【特許文献】
【０００３】
【特許文献１】特開２００７−５０５５５号公報
【発明の概要】
【発明が解決しようとする課題】
【０００４】
ところで、特許文献１の手法のように、基材（メディア）上に画像定着用のアンダーコート層を形成し、画像プリント用のインクによりアンダーコート層上に画像を形成する場合、アンダーコート層プリント用のインク液滴は１００％の網点面積率にて基材上に付与される（すなわち、インク液滴が付与可能な基材上の全ての位置にインク液滴が付与される）。しかしながら、この場合、紙の基材ではコクリング（皺が生じる現象）が発生したり、基材の種類によっては、画像プリント用のインクがアンダーコート層上に適切に定着しないことがあり、アンダーコート層上に形成される画像の精度が低下してしまう。
【０００５】
本発明は上記課題に鑑みなされたものであり、様々な基材上に高精度な画像を形成することを目的としている。
【課題を解決するための手段】
【０００６】
請求項１に記載の発明は、インクジェットプリンタであって、画像形成インクの液滴による基材上におけるドットの描画状態を変更する補助インクの液滴を前記基材に向けて吐出することにより、紙である前記基材上に補助層を形成し、前記画像形成インクの液滴を前記基材に向けて吐出することにより、前記補助層上に画像を形成する画像形成部と、前記画像形成インクの液滴が一定の大きさにて定着してドットが描画される前記補助層を形成するための網点面積率を適正網点面積率として、基材の複数の種類のそれぞれにおける複数の坪量のそれぞれと、前記補助層の形成時における前記適正網点面積率とを対応付ける参照テーブルを記憶する記憶部と、画像が形成される対象基材の種類および坪量を用いて前記参照テーブルを参照することにより、前記対象基材上への前記補助層の形成時における網点面積率を補助インク網点面積率として決定する網点面積率決定部とを備える。
【０００７】
請求項２に記載の発明は、請求項１に記載のインクジェットプリンタであって、前記適正網点面積率が、付与された前記画像形成インクの液滴が過度に広がらず、かつ、過度に浸透しない前記補助層を形成するためのおよそ最小の網点面積率である。
【０００８】
請求項３に記載の発明は、請求項１または２に記載のインクジェットプリンタであって、前記画像形成インクにより画像が形成される領域として予め設定された画像領域のみに対して前記補助層が形成される。
【０００９】
請求項４に記載の発明は、請求項１または２に記載のインクジェットプリンタであって、前記参照テーブルにおいて、各種類の基材に形成される画像の複数の属性に対し前記適正網点面積率が個別に対応付けられており、前記網点面積率決定部が、前記対象基材に形成される画像の属性も用いて前記参照テーブルを参照することにより、前記補助インク網点面積率を決定する。
【００１０】
請求項５に記載の発明は、請求項４に記載のインクジェットプリンタであって、前記対象基材上に前記画像形成インクにより画像が形成される複数の画像領域が予め設定されており、前記網点面積率決定部が、各画像領域に形成される画像の属性を用いて、前記各画像領域に対する前記補助インク網点面積率を決定する。
【００１１】
請求項６に記載の発明は、請求項５に記載のインクジェットプリンタであって、前記各画像領域および前記各画像領域の周囲のみに前記補助層が形成される。
【００１２】
請求項７に記載の発明は、請求項４ないし６のいずれかに記載のインクジェットプリンタであって、多階調の絵柄画像が形成される領域として設定された画像領域のうち、前記絵柄画像の階調値が所定値未満となる部分において、前記補助インク網点面積率が低減される。
【００１３】
請求項８に記載の発明は、請求項４ないし７のいずれかに記載のインクジェットプリンタであって、線画像が形成される領域として設定された画像領域のうち、前記線画像の線部および前記線部の周囲を除く部分において、前記補助インク網点面積率が低減される。
【００１４】
請求項９に記載の発明は、インクジェットプリンタにおける画像形成方法であって、前記インクジェットプリンタが、画像形成インクの液滴による基材上におけるドットの描画状態を変更する補助インクの液滴を前記基材に向けて吐出することにより、紙である前記基材上に補助層を形成し、前記画像形成インクの液滴を前記基材に向けて吐出することにより、前記補助層上に画像を形成する画像形成部を備え、前記画像形成方法が、ａ）前記画像形成インクの液滴が一定の大きさにて定着してドットが描画される前記補助層を形成するための網点面積率を適正網点面積率として、基材の複数の種類のそれぞれにおける複数の坪量のそれぞれと、前記補助層の形成時における前記適正網点面積率とを対応付ける参照テーブルを準備する工程と、ｂ）画像が形成される対象基材の種類および坪量を用いて前記参照テーブルを参照することにより、前記対象基材上への前記補助層の形成時における網点面積率を補助インク網点面積率として決定する工程と、ｃ）前記画像形成部により、前記補助インク網点面積率に従って前記対象基材上に前記補助層を形成するとともに、前記補助層上に前記画像形成インクによる画像を形成する工程とを備える。
【００１５】
請求項１０に記載の発明は、請求項９に記載の画像形成方法であって、前記適正網点面積率が、付与された前記画像形成インクの液滴が過度に広がらず、かつ、過度に浸透しない前記補助層を形成するためのおよそ最小の網点面積率である。
【００１６】
請求項１１に記載の発明は、請求項９または１０に記載の画像形成方法であって、前記ｃ）工程において、前記画像形成インクにより画像が形成される領域として予め設定された画像領域のみに対して前記補助層が形成される。
【００１７】
請求項１２に記載の発明は、請求項９または１０に記載の画像形成方法であって、前記参照テーブルにおいて、各種類の基材に形成される画像の複数の属性に対し前記適正網点面積率が個別に対応付けられており、前記ｂ）工程において、前記対象基材に形成される画像の属性も用いて前記参照テーブルを参照することにより、前記補助インク網点面積率が決定される。
【００１８】
請求項１３に記載の発明は、請求項１２に記載の画像形成方法であって、前記対象基材上に前記画像形成インクにより画像が形成される複数の画像領域が予め設定されており、前記ｂ）工程において、各画像領域に形成される画像の属性を用いて、前記各画像領域に対する前記補助インク網点面積率が決定される。
【００１９】
請求項１４に記載の発明は、請求項１３に記載の画像形成方法であって、前記ｃ）工程において、前記各画像領域および前記各画像領域の周囲のみに前記補助層が形成される。
【００２０】
請求項１５に記載の発明は、請求項１２ないし１４のいずれかに記載の画像形成方法であって、多階調の絵柄画像が形成される領域として設定された画像領域のうち、前記絵柄画像の階調値が所定値未満となる部分において、前記補助インク網点面積率が低減される。
【００２１】
請求項１６に記載の発明は、請求項１２ないし１５のいずれかに記載の画像形成方法であって、線画像が形成される領域として設定された画像領域のうち、前記線画像の線部および前記線部の周囲を除く部分において、前記補助インク網点面積率が低減される。
【発明の効果】
【００２２】
本発明によれば、様々な基材上に画像形成インクによる高精度な画像を形成することができる。また、補助インクの消費量を抑制することができる。
【００２３】
また、請求項３、６ないし８、１１、並びに、１４ないし１６の発明では、補助インクの消費量をさらに抑制することができ、請求項４および１２の発明では、画像をより高精度に形成することができ、請求項５および１３の発明では、各画像領域に対して画像をより高精度に形成することができる。
【図面の簡単な説明】
【００２４】
【図１】インクジェットプリンタの構成を示す図である。
【図２】インクジェットプリンタの機能構成を示すブロック図である。
【図３】元画像を示す図である。
【図４】参照テーブルの一部を示す図である。
【図５】基材上に画像を形成する処理の流れを示す図である。
【図６】対象基材上に形成された補助層を示す図である。
【図７】対象基材上に形成された補助層を示す図である。
【図８】参照テーブルの他の例の一部を示す図である。
【図９】対象基材上に形成された補助層を示す図である。
【図１０】階調値の和と補助インク網点面積率との関係を示す図である。
【図１１】対象基材上に形成された補助層を示す図である。
【図１２】対象基材上に形成された補助層を示す図である。
【発明を実施するための形態】
【００２５】
図１は本発明の一の実施の形態に係るインクジェットプリンタ１の構成を示す図である。インクジェットプリンタ１は、コンピュータ等を有する制御ユニット１１、および、制御ユニット１１に接続される画像形成部１２を備え、画像形成部１２は制御ユニット１１からの信号を受けて、紙である基材９にインクジェット方式にて画像を形成（プリント）する。
【００２６】
画像形成部１２は、インクの微小液滴を基材９の主面に向けて吐出する吐出部１２１、および、基材９を水平方向に吐出部１２１に対して相対的に移動する移動機構（図示省略）を有する。吐出部１２１は、シアン（Ｃ）、マゼンタ（Ｍ）、イエロー（Ｙ）およびブラック（Ｋ）の水性インクである画像形成インクの液滴を吐出する画像形成ヘッド１２２、および、後述の補助インクの液滴を吐出する補助ヘッド１２３を有する。画像形成部１２では、移動機構により、基材９上の各位置が補助ヘッド１２３の下方および画像形成ヘッド１２２の下方に順に配置される。これにより、基材９上に補助インクによる補助層が形成され、補助層上に画像形成インクによる画像（以下、「プリント画像」ともいう。）が形成される。なお、画像形成ヘッド１２２では、Ｃ、Ｍ、Ｙ、Ｋ以外の色（ライトシアン、ライトマゼンタ等）のインクが吐出されてもよい。
【００２７】
ここで、補助インクについて説明する。例えば、基材９が上質紙である場合に、水性の画像形成インクの液滴が基材９の主面（紙の表面であり、以下、「記録面」という。）に直接付与されると、画像形成インクは上質紙の記録面において広がりつつ浸透する（染み込む）ため、液滴により描画されるドットが大きくなるとともに、当該ドットの色がくすんで発色性が低下する。また、基材９がコート紙である場合に、水性の画像形成インクの液滴が基材９の記録面に直接付与されると、画像形成インクはコート紙の記録面においてほとんど染み込むことなく大きく広がるため、隣接した位置に付与される液滴同士が混ざって、大きなドットとなったり、色が混ざったりしてしまう（すなわち、粒状性や色間滲みが生じる。）。
【００２８】
補助インクは、画像形成インクの液滴による基材９上におけるドットの描画状態を変更する透明な水性インクであり、インクジェットプリンタ１では、後述の条件にて補助インクにより形成された補助層上に画像形成インクの液滴を付与することにより、当該液滴が過度に広がらず、かつ、過度に浸透しない状態（すなわち、液滴が基材９表面上に一定の大きさにて定着してドットが描画される、いわゆるインクジェット適性が得られる状態）が実現される。補助インクはアンカーインクあるいはアンダーコートインクとも呼ばれ、補助層はアンカー層あるいはアンダーコート層とも呼ばれる。インクジェットプリンタ１では、白色または有色の補助インクが用いられてもよい。
【００２９】
図２は、インクジェットプリンタ１の機能構成を示すブロック図である。制御ユニット１１は、各種データを記憶する記憶部１１１、後述の補助インク網点面積率を決定する網点面積率決定部１１２、画像データに対して所定の閾値マトリクス（例えば、ＦＭ（Ｆｒｅｑｕｅｎｃｙ  Ｍｏｄｕｌａｔｅｄ）スクリーニング用の閾値マトリクス）を用いて網掛け処理（ハーフトーン処理）を施すことにより画像形成用の描画データを生成するデータ変換部１１３、および、描画データに従って画像形成部１２を制御する制御部１１４を有する。記憶部１１１には、画像形成インクにより基材９上に記録される予定のカラーの元画像のデータ（本実施の形態ではラスタ形式のデータであり、以下、「元画像データ」という。）２１、および、補助層の形成時に参照される参照テーブルのデータ（以下、「参照テーブルデータ」という。）２２が予め記憶される。
【００３０】
図３は、元画像データ２１が示す元画像３を示す図である。元画像３には複数の画像領域（図３中にて符号３１〜３３を付す細線の矩形にて示す。）が設定されており、各画像領域３１〜３３には、絵柄、文字、バーコード等の画像の性質を示す属性が関連付けられる。具体的に、画像領域３１には写真やイラスト等の多階調の絵柄画像を示す属性が関連付けられ、画像領域３２には２値の文字画像を示す属性が関連付けられ、画像領域３３には２値のバーコード画像を示す属性が関連付けられる。元画像３において画像領域３１〜３３以外の領域は空白を示す。元画像データ２１には、各画像領域３１〜３３の位置およびサイズ（すなわち、縦方向および横方向の画素数）、並びに、属性を示す領域情報２１１が含まれる。
【００３１】
図４は、参照テーブルデータ２２が示す参照テーブルの一部を示す図である。図４の参照テーブルにおいて、最上段に「紙の種類」と記す左側の列には、「上質紙」、「新聞紙」、「コート紙」等の紙の種類が記される。また、最上段に「坪量」と記す中央の列には、紙の各種類に対して複数の坪量（すなわち、単位面積当たりの基材の重量）が記され、最上段に「適正網点面積率」と記す右側の列には、当該複数の坪量にそれぞれ対応する複数の適正網点面積率が記される。
【００３２】
本実施の形態における網点面積率とは、補助層を形成する際に用いられる画像において、所定の大きさの領域に含まれる画素のうち、ドットの描画を指示する値を有する画素の割合（ドットの描画率）を示すものである。すなわち、網点面積率は、基材９上の所定の大きさの領域において補助インクの液滴が付与可能な位置の総数に対する、当該領域中の液滴が実際に付与される位置の個数の割合である。実際には、基材９の主面上において補助インクの液滴はある程度広がるため、１００％未満の網点面積率において、当該領域の全体を覆う補助層が形成される。
【００３３】
参照テーブルにおける適正網点面積率は、上記インクジェット適性を有する補助層を形成するためのおよそ最小の網点面積率であり、本実施の形態では、後述する参照テーブル作成作業により、各種類の紙の各坪量に対して適正網点面積率が予め決定される。このように、参照テーブルでは、各種類の紙における複数の坪量に対し、補助層の形成時における適正網点面積率が個別に対応付けられる。
【００３４】
図５は、インクジェットプリンタ１が基材９上にプリント画像を形成する処理の流れを示す図である。インクジェットプリンタ１では、まず、後述の参照テーブル作成作業により、参照テーブルデータ２２が生成され、図２の記憶部１１１に記憶されて準備される（ステップＳ１１）。
【００３５】
続いて、インクジェットプリンタ１において実際にプリント画像が形成される基材９（以下、「対象基材９」という。）の種類が制御ユニット１１に入力される。網点面積率決定部１１２では、対象基材９の種類および坪量を用いて参照テーブルを参照することにより、対象基材９上への補助層の形成時における網点面積率（以下、「補助インク網点面積率」という。）が決定される（ステップＳ１２）。例えば、対象基材９の種類が上質紙であり、対象基材９の坪量が８１．４［ｇ／ｍ２］である場合には、図４の参照テーブルに基づいて補助インク網点面積率が２５％として自動的に決定される。そして、補助インク網点面積率に相当する２５％の階調値（濃度値または画素値）にて一様、かつ、元画像３よりもサイズが大きい補助層画像を示すデータ（以下、「補助層画像データ」という。）がデータ変換部１１３に出力される。なお、作業者により補助インク網点面積率の値が任意に指定可能とされてもよく、この場合、対象基材９の種類および坪量から特定される網点面積率を微調整することができる。
【００３６】
なお、各種類の紙の複数の坪量は、印刷物の用途に応じて事前に定められているため、対象基材９の種類および坪量は、参照テーブルに示される種類および坪量に一致する。対象基材９の坪量が例外的に参照テーブルに示される坪量と相違する場合には、対象基材９の坪量に最も近い参照テーブル中の坪量の適正網点面積率が、補助インク網点面積率として決定されてもよい。また、対象基材９の坪量に対応する適正網点面積率が、参照テーブルに示される複数の坪量の適正網点面積率に基づく補間演算により求められてもよい。さらに、参照テーブルでは各種類の紙において、坪量と適正網点面積率との関係が関数にて表されていてもよい。
【００３７】
データ変換部１１３では、補助層画像データから補助インクの吐出制御用の描画データが生成され、制御部１１４により、当該描画データに従って図１の画像形成部１２が制御される。これにより、基材９の吐出部１２１に対する相対移動に並行して、補助ヘッド１２３から基材９に向けて補助インクの液滴が吐出され、対象基材９上に補助層が形成される（ステップＳ１３）。
【００３８】
図６は、対象基材９上に形成された補助層４１を示す図である。図６では、対象基材９上の補助層４１に平行斜線を付すとともに、図３の元画像３の各画像領域３１〜３３の画像が形成される予定の対象基材９上の領域（以下同様に、「画像領域」という。）を、符号５１〜５３を付す二点鎖線の矩形にて示す（後述の図７、図９、図１１および図１２において同様）。インクジェットプリンタ１では、対象基材９上において画像形成インクによりプリント画像が形成可能な領域のおよそ全体（すなわち、プリント可能領域のおよそ全体）に補助インク網点面積率に従って補助インクの液滴が吐出され、透明な補助層４１が形成される。
【００３９】
また、データ変換部１１３では、元画像データ２１から画像形成インクの吐出制御用の描画データが生成され、制御部１１４により、当該描画データに従って図１の画像形成部１２が制御される。これにより、基材９の吐出部１２１に対する相対移動に並行して、画像形成ヘッド１２２から基材９に向けて画像形成インクの液滴が吐出され、補助層４１上に元画像データ２１が示すカラーのプリント画像（すなわち、元画像３を示すプリント画像）が形成される（ステップＳ１４）。
【００４０】
本実施の形態におけるインクジェットプリンタ１では、対象基材９が水平な一方向に連続的に移動する。また、補助ヘッド１２３が、画像形成ヘッド１２２よりも対象基材９の進行方向上流側に配置され、補助ヘッド１２３および画像形成ヘッド１２２のそれぞれにおいて、複数の吐出口が対象基材９の幅（対象基材９の進行方向に垂直な方向の幅）のおよそ全体に亘って配列される。これにより、基材９上の各位置が補助ヘッド１２３の下方および画像形成ヘッド１２２の下方に順に配置されるとともに、ステップＳ１３における補助インクによる補助層４１の形成、および、ステップＳ１４における画像形成インクによるプリント画像の形成が並行して行われる。補助層４１上に元画像データ２１が示す画像の全体が形成されると、インクジェットプリンタ１における画像形成処理が完了する。なお、対象基材９の進行方向において画像形成ヘッド１２２よりも下流側に、赤外線や温風により対象基材９上のプリント画像を乾燥させる乾燥部が設けられてもよい。
【００４１】
次に、参照テーブル作成作業について説明する。参照テーブル作成作業では、各種類の各坪量の複数の基材が準備され、当該複数の基材に対して、互いに相違する複数の網点面積率にて補助層が形成され、当該複数の基材の補助層上に画像形成インクにより同様のプリント画像が形成される。そして、各基材のプリント画像が作業者により観察され、複数の評価項目に関して評価される。表１では、坪量８１．４［ｇ／ｍ２］のコート紙である基材において、網点面積率０、１５、２５、３５、４０、５０、６０、７０、１００％にて形成された補助層上におけるプリント画像の評価結果を示している。
【００４２】
【表１】
0005738613.tif 000002
【００４３】
表１では、各評価項目に対する評価結果が「○」、「△」および「×」の３段階にて示されており、「○」は良好であり、「△」は良好ではないが、許容範囲内であり、「×」が許容範囲外である。「発色性」は絵柄画像を示すプリント画像の領域を観察することにより評価され、５０％以下の網点面積率では「○」となるが、６０％以上の網点面積率では「×」となる。これは、補助層形成時の網点面積率が６０％以上となると、Ｃ、Ｍ、Ｙ、Ｋの画像形成インクおよび補助インクによる基材記録面における水分が過度に多くなり、画像形成インクが乾燥する前に、画像形成部１２において基材の進行方向下流側に配置された搬送ローラに記録面が当接して、記録面上の画像形成インクの一部が当該ローラに奪われるためである。
【００４４】
また、「粒状性」および「色間滲み」も絵柄画像を示すプリント画像の領域を観察することにより評価され、３５％以下の網点面積率では双方が「△」または「×」となる。これは、網点面積率が３５％以下となると、補助インクによる補助層が記録面全体を覆う状態とならず、画像形成インクの液滴が記録面上にて広がって液滴同士が混ざる（大きなドットとなる）領域が存在するためである。「粒状性」に関して、６０％以上の網点面積率にて「×」となる理由は「発色性」におけるものと同様である。
【００４５】
「バーコード可読性」は、２値のバーコード画像を示すプリント画像の領域を観察することにより評価され、全ての網点面積率で「○」となる。また、「文字品質」は、２値の文字画像を示すプリント画像の領域を観察することにより評価され、５０％以上の網点面積率において、基材記録面における水分の影響により「×」となる。表１では、全ての評価項目を考慮して評価結果が最も高い網点面積率４０％が、適正網点面積率として決定される。なお、上質紙では、画像形成インクの液滴が基材記録面上において広がりつつ染み込むため、網点面積率が低い範囲において「バーコード可読性」および「文字品質」が低くなる。
【００４６】
コクリングの発生および補助インクの消費量（無駄）を抑制するという観点からは、補助層の形成時における網点面積率は低いほど好ましいため、全ての評価項目における評価結果を考慮しつつ、許容可能な範囲で最も小さい網点面積率が適正網点面積率として決定される。したがって、適正網点面積率は、付与された画像形成インクの液滴が過度に広がらず、かつ、過度に浸透しない（すなわち、インクジェット適性が得られる）補助層を形成するためのおよそ最小の網点面積率であるといえる。上記評価項目には、インクが基材９の裏面側まで浸透する、いわゆる裏抜けや、プリント画像の表面を他の部材で擦った際におけるインクの剥離度合いを評価する擦過性等が含められてもよい。
【００４７】
上記作業により、各種類の各坪量の基材に対して適正網点面積率が決定され、図４の参照テーブルが作成される。参照テーブルデータ２２は記憶部１１１に記憶され、インクジェットプリンタ１における画像形成処理に利用される。
【００４８】
以上に説明したように、インクジェットプリンタ１では、各種類の紙における複数の坪量に対し適正網点面積率を個別に対応付けた参照テーブルが記憶部１１１にて記憶され、網点面積率決定部１１２が、対象基材９の種類および坪量を用いて参照テーブルを参照することにより、対象基材９上への補助層４１の形成時における網点面積率が補助インク網点面積率として決定される。これにより、様々な基材９上に画像形成インクによる高精度なプリント画像を形成することができる。また、このようなインクジェットプリンタ１では、例えば、他のオフセット印刷機により同様の画像がオフセット印刷された複数の基材（オフセット印刷用の基材であり、その記録面はインクジェット適性を有していない。）に対して個別のプリント画像を高精度に形成することができる。
【００４９】
インクジェットプリンタ１では、対象基材９の種類および坪量に合わせて補助インク網点面積率が決定されるため、常時１００％の網点面積率にて補助層を形成する場合に比べて、コクリングの発生および補助インクの消費量（補助インクのコスト）を抑制することができる。また、対象基材９上のプリント画像を乾燥させる乾燥部を設ける際には、記録面上の水分が少なくなることにより低い電力にて乾燥部を駆動することが可能となり、乾燥部の消費電力を低減することができる。
【００５０】
ところで、仮に同一の大きさの補助層および元画像を基材９上に形成する場合、インクジェットプリンタ１におけるインクの着弾精度や基材９の搬送精度等によっては、補助ヘッド１２３により形成される補助層と画像形成ヘッド１２２により形成されるプリント画像とを正確に重ねることが困難となり、補助ヘッド１２３と画像形成ヘッド１２２との間で画像（補助層）の形成位置にずれが生じることがある。この場合、基材９の種類によっては、プリント画像の外縁部においてインクが基材９の裏面側まで浸透して裏抜けが発生してしまう。
【００５１】
これに対し、インクジェットプリンタ１では、網点面積率決定部１１２により元画像３よりもサイズが大きい補助層画像が生成されることにより、補助ヘッド１２３と画像形成ヘッド１２２との間で画像の形成位置にずれが生じる場合であっても、元画像３を示すプリント画像の全体を補助層４１上に確実に形成することができ、裏抜けの発生を防止することができる。
【００５２】
上記処理例では、基材９の記録面上においてプリント可能領域のおよそ全体に補助層４１が形成されるが、図３の元画像３の画像領域３１〜３３に対応する基材９上の領域に対してのみ補助層４１が形成されてよい。この場合、図２の網点面積率決定部１１２において、元画像データ２１に含まれる領域情報２１１が参照され、元画像３の画像領域３１〜３３と（中央の）位置が同じ、かつ、当該画像領域３１〜３３よりもサイズが僅かに大きい領域において、階調値が補助インク網点面積率に相当する値にて一様となり、他の領域の階調値が０となる補助層画像データが生成される。そして、補助層画像データから生成される描画データに従って画像形成部１２が制御されることにより、図７に示すように、画像領域３１〜３３に対応する基材９上の画像領域５１〜５３に対してのみ（正確には、画像領域５１〜５３を図７の縦方向および横方向に僅かに大きくした領域のみに）補助層４１が形成される。
【００５３】
以上のように、インクジェットプリンタ１では、画像形成インクにより画像が形成される領域として予め設定された画像領域５１〜５３のみに対して補助層４１が形成されることにより、コクリングの発生および補助インクの消費量をさらに抑制することができる。また、各補助層４１が画像領域５１〜５３の全体を包含する領域に形成されることにより、裏抜けの発生を防止することができる。
【００５４】
次に、インクジェットプリンタ１における他の処理例について説明する。図８は、本処理例において準備される参照テーブルの一部を示す図である。図８の参照テーブルでは、図４の参照テーブルに対して、最上段に「画像の属性」と記す列が追加されている。当該列には、画像の属性である「絵柄」、「文字」、「バーコード」が記され、「適正網点面積率」の列には、画像の各属性に対応する適正網点面積率が記される。このように、図８の参照テーブルでは、各種類の各坪量の基材に形成される画像の複数の属性に対し適正網点面積率が個別に対応付けられる。なお、図８では、「紙の種類」として「新聞紙」のみが示されるが、実際には、「上質紙」や「コート紙」等の他の種類の紙の各坪量に関しても画像の各属性に対する適正網点面積率が定められている。また、参照テーブルにおいて、「絵柄」、「文字」、「バーコード」以外の属性が追加されてもよい。
【００５５】
本処理例では、上述の参照テーブル作成作業と同様の手法にて図８の参照テーブルが準備される（図５：ステップＳ１１）。すなわち、各種類の各坪量の複数の基材に対してそれぞれ複数の網点面積率にて補助層を形成し、当該補助層上に形成される複数の属性のプリント画像を観察することにより、画像の各属性に対する適正網点面積率が決定される。
【００５６】
続いて、網点面積率決定部１１２では、対象基材９の種類および坪量に加えて、元画像データ２１の領域情報２１１に含まれる各画像領域３１〜３３の属性を用いて図８の参照テーブルを参照することにより、画像領域３１〜３３に対して補助インク網点面積率が個別に決定される（ステップＳ１２）。そして、各画像領域３１〜３３と位置が同じ、かつ、当該画像領域３１〜３３よりもサイズが僅かに大きい領域において、階調値が当該画像領域３１〜３３の補助インク網点面積率に相当する値にて一様となり、他の領域の階調値が０となる補助層画像データが生成される。
【００５７】
インクジェットプリンタ１では、補助層画像データから生成される描画データに従って画像形成部１２が制御されることにより、図９に示すように、元画像３の画像領域３１〜３３に対応する基材９上の画像領域５１〜５３に対して、当該画像領域３１〜３３に対して決定された補助インク網点面積率に応じて補助インクが吐出されて補助層４１が形成される（ステップＳ１３）。図９では、複数の補助層４１に付す平行斜線の幅を相違させることにより、補助層４１の形成時における網点面積率の相違を表している（後述の図１１において同様）。
【００５８】
また、元画像データ２１から生成される描画データに従って画像形成部１２が制御されることにより、各補助層４１に対応する画像領域３１〜３３の画像が、当該補助層４１上に画像形成インクにより形成される（ステップＳ１４）。
【００５９】
以上に説明したように、本処理例では、参照テーブルにおいて、各種類の各坪量の基材に形成される画像の複数の属性に対し適正網点面積率が個別に対応付けられる。また、対象基材９上には画像形成インクにより画像が形成される複数の画像領域５１〜５３が予め設定され、網点面積率決定部１１２において、対象基材９の種類および坪量、並びに、対象基材９の各画像領域５１〜５３に形成される画像の属性を用いて参照テーブルを参照することにより、当該画像領域５１〜５３に対する補助インク網点面積率が決定される。これにより、インクジェットプリンタ１では、各画像領域５１〜５３に対してプリント画像を高精度に形成することができる。また、各画像領域５１〜５３および当該画像領域５１〜５３の周囲のみに補助層４１が形成されることにより、コクリングの発生および補助インクの消費量を抑制することができる。
【００６０】
図８の参照テーブルを用いる処理例において、絵柄画像の画像領域５１に対する補助層４１の形成時における網点面積率が、絵柄画像に合わせて変更されてもよい。具体的には、網点面積率決定部１１２において補助層画像データを生成する際に、図３の元画像３において絵柄画像の画像領域３１の各位置（画素）における全ての色成分（Ｃ、Ｍ、ＹおよびＫ）の階調値の和が求められる。また、図１０中に符号Ｌ１を付す実線にて示すように、階調値の和と補助インク網点面積率との関係（以下、「変換カーブ」という。）が予め準備されており、絵柄画像の画像領域３１の各位置に対して、階調値の和を用いて補助インク網点面積率が特定される。これにより、画像領域３１の各位置に対応する位置の階調値が、特定された補助インク網点面積率に相当する値を有する補助層画像（すなわち、画像領域３１に対応する領域が多値にて表現される補助層画像）が生成される。
【００６１】
ここで、図１０の変換カーブＬ１について説明する。変換カーブＬ１では、階調値の和が０からＴ１まで増大するのに従って補助インク網点面積率が漸次増大し、階調値の和がＴ１以上では補助インク網点面積率がＲ１にて一定となる。変換カーブＬ１を作成する際には、図８の参照テーブルにおいて、対象基材９の種類および坪量、並びに、絵柄画像から補助インク網点面積率Ｒ１が特定される。また、図１０中にて符号Ｌ２を付す二点鎖線にて示すように、増加関数である基本カーブが実験により各種類の各坪量の基材に対して予め準備されており（図１０では、０からＴ１までの階調値の和の範囲にて基本カーブＬ２と変換カーブＬ１とが重なっている。）、基本カーブＬ２において補助インク網点面積率がＲ１よりも大きくなる部分をＲ１に変更することにより、変換カーブＬ１が作成される。
【００６２】
図１１は、補助層画像データに基づいて対象基材９上に形成された補助層４１を示す図であり、元画像３の画像領域３１に対応する対象基材９上の画像領域５１近傍のみを示している。また、図１１では、画像領域５１に形成される絵柄画像の概略を二点鎖線にて示している。既述のように、変換カーブＬ１は増加関数であり、変換カーブＬ１を用いて生成される補助層画像データに基づいて補助層４１は形成される。したがって、風景写真における空を示す部分等、絵柄画像において階調値の和が比較的小さい部分Ａ１（図１１中にて幅が広い平行斜線を付す部分であり、対象基材９は白いため、比較的明るい部分となる。）では、補助層４１の形成時における網点面積率が低くなり、当該部分Ａ１に付与される補助インクの量が少なくなる。このような部分Ａ１では、画像形成インクにより形成されるドットの数の密度が低いため、記録面上において画像形成インクの液滴が広がったとしてもプリント画像の質への影響は少ない。
【００６３】
一方、絵柄画像において階調値の和が比較的大きい部分Ａ２（図１１中にて幅が狭い平行斜線を付す部分）では、補助層４１の形成時における網点面積率は、補助インク網点面積率Ｒ１となる。したがって、当該部分Ａ２におけるプリント画像の精度は確保される。
【００６４】
以上に説明したように、図１０の変換カーブＬ１を用いるインクジェットプリンタ１では、多階調の絵柄画像が形成される領域として設定された画像領域のうち、絵柄画像の階調値の和が所定値未満となる部分において、補助インク網点面積率が低減される。これにより、プリント画像の精度を維持しつつ補助インクの消費量をさらに抑制することができる。また、コクリング等の発生も抑制されるため、高品質な印刷物を取得することができる。図１０の変換カーブＬ１を用いる手法は、単色の絵柄画像を示す画像領域に対して用いられてもよく、この場合、絵柄画像の画像領域のうち、絵柄画像の階調値が所定値未満となる部分において、補助インク網点面積率が低減される。
【００６５】
ところで、仮に、図１０の基本カーブＬ２に従って補助層画像データを生成する場合、多色の絵柄画像では階調値の和、また、単色の絵柄画像では階調値が大きい部分（すなわち、高濃度部分）では、補助インクの付与量および画像形成インクの付与量の双方が多くなるため、コクリングや裏抜けが生じやすくなる。しかしながら、インクジェットプリンタ１では、対象基材９の種類および坪量、並びに、画像の属性にて特定される補助インク網点面積率Ｒ１を上限とする変換カーブＬ１が求められることにより、コクリングや裏抜けの発生を抑制することができる。
【００６６】
また、図８の参照テーブルを用いる処理例において、文字画像やバーコード画像等、線部にて表現される２値画像（以下、「線画像」という。）の画像領域５２，５３に対して、線画像に従って変更した網点面積率にて補助層４１が形成されてもよい。具体的には、網点面積率決定部１１２において補助層画像データを生成する際に、画像領域３２，３３における線画像の線部を太らせ処理（膨張処理）した画像が生成される。また、対象基材９の種類および坪量、並びに、当該画像領域３２，３３の画像の属性に基づいて補助インク網点面積率が決定され、太らせ処理後の線部に対応する部分の階調値が当該補助インク網点面積率に相当する値となり、線画像中の線部以外に対応する部分の階調値が０となる補助層画像データが生成される。
【００６７】
図１２は、補助層画像データに基づいて対象基材９上に形成された補助層４１を示す図であり、元画像３の画像領域３３に対応する対象基材９上の画像領域５３近傍のみを示している。また、図１２では、画像領域５３に形成されるバーコード画像の概略を二点鎖線にて示している。上記補助層画像データに基づいて補助インクの吐出制御が行われることにより、図１２に示すように、線画像の線部を膨張させた領域のみに補助層４１が形成される。
【００６８】
以上のように、好ましいインクジェットプリンタ１では、線画像が形成される領域として設定された画像領域のうち、線画像の線部および当該線部の周囲を除く部分において、補助インク網点面積率が０とされる。これにより、インクジェットプリンタ１における基材の搬送精度が低く、補助ヘッド１２３と画像形成ヘッド１２２との間で画像の形成位置にずれが生じる場合であっても、線画像における線部を補助層４１上に確実に形成することができ、裏抜けの発生を抑制することができる。また、コクリングの発生および補助インクの消費量をさらに抑制することができる。
【００６９】
また、インクジェットプリンタ１では、太らせ処理後の線部に対応する部分の階調値が当該補助インク網点面積率に相当する値となり、線画像中の線部以外に対応する部分の階調値が当該値未満かつ０よりも大きい値となる補助層画像データが生成されてもよい。このようにして、線画像の画像領域のうち、線画像の線部および線部の周囲を除く部分において補助インク網点面積率を低減する場合であっても、コクリング等の発生および補助インクの消費量がある程度抑制される。
【００７０】
上記インクジェットプリンタ１では、様々な変形が可能である。
【００７１】
基材において坪量の相違による適正網点面積率の相違が小さい場合等には、図４の参照テーブルにおいて坪量が省略されてもよい（図８の参照テーブルにおいて同様）。すなわち、基材の複数の種類のそれぞれと、補助層の形成時における適正網点面積率とを対応付ける参照テーブルを準備し、対象基材の種類のみを用いて参照テーブルを参照して補助インク網点面積率を決定する場合であっても、ある程度高精度なプリント画像を形成することができる。インクジェットプリンタ１において、プリント画像をより高精度に形成するには、対象基材９の坪量、および／または、画像の属性も用いて補助インク網点面積率を決定することが好ましい。
【００７２】
インクジェットプリンタ１におけるインクの着弾精度や基材９の搬送精度等によっては、補助層が各画像領域と同じサイズとされてよい。
【００７３】
上記実施の形態では、水性のインク（補助インクおよび画像形成インク）が用いられるが、紫外線硬化性を有するインク等、他の種類のインクを用いて対象基材上に補助層が形成され、補助層上にプリント画像が形成されてもよい。他の種類のインクを用いる場合でも、当該種類のインクに合わせた参照テーブルを準備することにより、高精度なプリント画像を形成することができる。
【００７４】
補助層および補助層上に形成されるプリント画像は必ずしもＦＭスクリーニングにて表現される必要はなく、ＡＭ（Ａｍｐｌｉｔｕｄｅ  Ｍｏｄｕｌａｔｅｄ）スクリーニング等にて表現されてもよい。また、描画データの生成時に、補助層画像データおよび元画像データに対して異なる閾値マトリクスが用いられてよく、描画データは、量子化誤差を周辺画素に分配する誤差拡散法等にて生成されてもよい。
【００７５】
インクジェットプリンタ１においてプリント画像が形成される基材は紙には限定されず、プラスチックフィルムやガラス板、あるいは、布や金属板等であってもよい。参照テーブルを用いて補助インク網点面積率を決定するインクジェットプリンタ１では、このような基材上においても高精度なプリント画像を形成することができる。
【００７６】
上記実施の形態および各変形例における構成は、相互に矛盾しない限り適宜組み合わせられてよい。
【符号の説明】
【００７７】
１    インクジェットプリンタ
９    基材
１２    画像形成部
２２    参照テーブルデータ
４１    補助層
５１〜５３    画像領域
１１１    記憶部
１１２    網点面積率決定部
Ｓ１１〜Ｓ１４    ステップ
【図１】
0005738613.tif 000003
【図２】
0005738613.tif 000004
【図３】
0005738613.tif 000005
【図４】
0005738613.tif 000006
【図５】
0005738613.tif 000007
【図６】
0005738613.tif 000008
【図７】
0005738613.tif 000009
【図８】
0005738613.tif 000010
【図９】
0005738613.tif 000011
【図１０】
0005738613.tif 000012
【図１１】
0005738613.tif 000013
【図１２】
0005738613.tif 000014